(57)【特許請求の範囲】
【請求項１】
機器本体に設けた主操作部と、機器本体の前面に設けたリモコン収納部を有するリモコンホルダーと、該リモコンホルダーに着脱自在に取り付け、少なくとも前記主操作部の操作スイッチより少なくした操作スイッチを有するリモコン本体と、前記リモコンホルダーに隣接して設け、前記リモコン本体が着脱いずれの状態においてもリモコン信号を受光する構成とした受光部を備え、前記リモコンホルダーは前記リモコン本体を収納した状態において、前記リモコン本体の一部または全部が機器本体の前板より沈み込む構成とし、さらに前記リモコンホルダーは前記リモコン本体が装着される前記リモコン収納部の面を略垂直平面と該略垂直平面の下側に前記機器本体の奥側へ向かう傾斜面とで形成し、前記略垂直平面には前記リモコンホルダーのリモコン収納部に前記略垂直平面に対向して収納した前記リモコン本体を吸着する磁石を設け、前記傾斜面には前記リモコン本体の下部を押した時、前記略垂直平面と前記傾斜面との境界部を支点に前記傾斜面側へ回動し、一部が前記機器本体の前面より突き出て手前側へ傾斜した前記リモコン本体を吸着する磁石を設けた燃焼装置。
【請求項２】
リモコンホルダーは、機器本体の前板に一体化して設けた請求項１記載の燃焼装置。
【請求項３】
リモコンホルダーは、主操作部に設けた表示部のうち、少なくともリモコン本体の操作により表示が変更する表示部近傍に設けた請求項１または２記載の燃焼装置。
【請求項４】
リモコンホルダーは、主操作部に設けた設定温度または室温表示器の近傍に設けた請求項１ないし３のいずれか１項記載の燃焼装置。
【請求項５】
受光部は、リモコンホルダーに一体的に取り付けた受光カバーと、該受光カバーに相対する位置の主操作部に取り付けた受光ユニットからなり、少なくとも前方及び下方の２方向からのリモコン信号が受光できるようにした請求項１記載の燃焼装置。
【請求項６】
リモコン本体の裏面適所に磁性体を配し、該磁性体と相対するリモコンホルダー適所に磁石を取り付け、前記磁石の磁力により前記リモコン本体を保持し、リモコンホルダーへの収納形態を形成するようにした請求項１記載の燃焼装置。
【発明の詳細な説明】
【０００１】
【発明の属する技術分野】
本発明は、リモコンを有する燃焼装置において、特にリモコンの取付構成に関するものである。
【０００２】
【従来の技術】
一般にリモコンは機器本体に設けた主操作部とは別に設け、機器本体より離れた位置で運転又は各種設定操作を行うもので、現在、その種類も数多く考案されており、その機器の種類や用途に応じて、最適なリモコンの形態を選択できるものである。
【０００３】
例えば、常に離れた場所で操作するような機器で、安価に、かつノイズ等の影響を受けず、確実に遠隔制御を行いたい場合は、完全にリモコンを別設し有線で機器本体と接続するワイヤードリモコンを選択する。
【０００４】
また、本願発明のように室内で用いる燃焼器、例えばファンヒータ等のリモコンにおいては、操作場所を限定せず同一部屋内の任意の場所から操作できるものが望ましく、従来よりワイヤレスリモコンが一般的である。以下その構成を図７（ａ）と（ｂ）を用いて説明する。
【０００５】
図において３０は、ワイヤレスのリモコン本体であり、操作信号の送信手段として、電波を用いるものや赤外線を用いるものがあるが、共に機器本体３１側の受信部３２は機器本体３１に設けている主操作部３３の近傍に設け、リモコンで操作する場合は、その受信部３２に向けて信号を送ることで遠隔操作を行うようにしているものである。すなわち、従来のリモコン操作は、リモコン本体３０を機器本体３１から完全に離した状態でのみ操作可能にするという発想のもとに構成されたものであり、リモコン本体を機器本体３１に収納した状態でリモコン本体３０の操作を可能とし、主操作部３３とリモコン本体３０のどちら側でも操作ができるように構成したものではなかった。
【０００６】
また、リモコン本体３０の収納に関しては、機器本体３１側に収納部を設けず、専用のリモコン収納ケース３４を付属品として備え、使用者が部屋の任意の場所に前記収納ケースを設置し、そこに保管するという方法が多く、機器本体３１側に収納部を設けたものにおいても専用の収納ケース３４を機器本体の側面や背面に取り付け、そのポケット状のケース内にリモコンを収納するという形態のものであった。
【０００７】
【発明が解決しようとする課題】
上記したように、従来構成のリモコンにおいては、機器本体への装着状態が、別体で設けたリモコン収納ケースを機器本体の側面や背面に取り付け、そのポケット状の収納ケース内にリモコンを収納し、リモコン操作をするときのみ、そこから取り出し受信部に向けて操作信号を送信することでリモコンによる操作が可能になるというものであり、リモコン機能に限定した使用形態においては全く問題のない構成であるが、本願発明が解決しようとするリモコン機能に加えて、機器本体側での操作性において高齢者や幼児に対する操作の判り易さ及び簡便性を向上するという目的に関しては全く配慮がされていないものであった。
【０００８】
つまり、近年の燃焼器、例えばファンヒータ等においては燃焼制御という基本機能以外に各種機能を搭載し、使い勝手やメンテナンス性を向上させるようにしたものが数多く考案されている。そして、上記機能を作用させるため、主操作部には各種機能に対応した操作スイッチが配設され、複雑な構成を有するものである。このため、操作が複雑になり、特に高齢者や幼児においては操作方法が判りにくく、誤操作をしてしまうという心配もあり、極めて操作性を低下させるという課題を有するものであった。
【０００９】
また、近年においては暖房商品といえども、そのデザイン性は重視される傾向にあり、従来構成のように別体のリモコン収納ケースを機器本体の側面や背面に取り付け、そのケース内に収納するという形態は付属品的な印象は否めなく、見栄え面であまり好ましいものではなかった。
【００１０】
本発明は上記課題を解決するもので、リモコンを本体前面に収納することで、機器本体の一構成部品としてデザイン性の向上を図るとともに、必要最小限のスイッチを配した構成とすることで、通常使用時における操作性の向上を図ることを目的とするものである。
【００１１】
【課題を解決するための手段】
上記課題を解決するために本発明は、機器本体に設けた主操作部と、機器本体の前面に設けたリモコン収納部を有するリモコンホルダーと、該リモコンホルダーに着脱自在に取り付け、少なくとも前記主操作部の操作スイッチより少なくした操作スイッチを有するリモコン本体と、前記リモコンホルダーに隣接して設け、前記リモコン本体が着脱いずれの状態においてもリモコン信号を受光する構成とした受光部を備え、前記リモコンホルダーは前記リモコン本体を収納した状態において、前記リモコン本体の一部または全部が機器本体の前板より沈み込む構成とし、さらに前記リモコンホルダーは前記リモコン本体が装着される前記リモコン収納部の面を略垂直平面と該略垂直平面の下側に前記機器本体の奥側へ向かう傾斜面とで形成し、前記略垂直平面には前記リモコンホルダーのリモコン収納部に前記略垂直平面に対向して収納した前記リモコン本体を吸着する磁石を設け、前記傾斜面には前記リモコン本体の下部を押した時、前記略垂直平面と前記傾斜面との境界部を支点に前記傾斜面側へ回動し、一部が前記機器本体の前面より突き出て手前側へ傾斜した前記リモコン本体を吸着する磁石を設けた構成としている。
【００１２】
上記発明によれば、機器本体の前面に前板より沈み込む状態か、あるいは少し突出した状態でリモコン本体を収納する構成としているため、機器本体の一構成部品、例えば第２の操作部として扱うことができ、従来の付属品的なリモコンに比べ、デザイン性の向上に大きく寄与するものであるとともに、前記リモコン本体を収納するリモコンホルダーに近接または一体化して受光部を設けた構成としているため、リモコン本体を機器本体に収納した状態でリモコン操作が可能となり、前記第２の操作部として使用することが可能になり、主操作部と併せてどちら側からでも操作ができるようになる。そして、リモコン側の操作スイッチを主操作部より少ない数、例えば通常使用時に必要な最小限の操作スイッチを配した構成とすることで、高齢者や幼児が操作する場合でも極めて判りやすい操作方法を提供することができる。
【００１３】
また、遠隔操作機能として使用できることはいうまでもなく、本体前面に受光部を設けた構成としているため、座った状態や寝ころんだ状態でも操作が可能となり、操作範囲が極めて拡大して使い勝手の向上が図れるとともに、リモコン本体を取り外した状態においてリモコンホルダーが機器本体の前板より沈み込む状態にしているため、見栄えを損なうことなく、違和感のないデザインを確保することができる。
【００１４】
さらに、機器本体の前面にリモコンを収納するようにしているため、リモコン本体の取り外し有無の確認が明確に判別でき、長期間取り外したまま放置して失ってしまうという事態に対して警鐘を促すことができる。
【００１５】
また、リモコン本体は、通常、リモコンホルダーの略垂直平面の磁石により吸着され収納状態にあり、そして下部を押されるとリモコンホルダーの略垂直平面と傾斜面との境界部を支点に前記傾斜面側へ回動し、一部が機器本体の前面より突き出て手前側へ傾斜した状態で前記傾斜面の磁石により吸着されるので、使用者は確実かつ簡単にリモコン本体をリモコンホルダ−より取り外すことができる。
【００１６】
【発明の実施の形態】
本発明の請求項１に記載した燃焼装置は、機器本体に設けた主操作部と、機器本体の前面に設けたリモコン収納部を有するリモコンホルダーと、該リモコンホルダーに着脱自在に取り付け、少なくとも前記主操作部の操作スイッチより少なくした操作スイッチを有するリモコン本体と、前記リモコンホルダーに隣接して設け、前記リモコン本体が着脱いずれの状態においてもリモコン信号を受光する構成とした受光部を備え、前記リモコンホルダーは前記リモコン本体を収納した状態において、前記リモコン本体の一部または全部が機器本体の前板より沈み込む構成とし、さらに前記リモコンホルダーは前記リモコン本体が装着される前記リモコン収納部の面を略垂直平面と該略垂直平面の下側に前記機器本体の奥側へ向かう傾斜面とで形成し、前記略垂直平面には前記リモコンホルダーのリモコン収納部に前記略垂直平面に対向して収納した前記リモコン本体を吸着する磁石を設け、前記傾斜面には前記リモコン本体の下部を押した時、前記略垂直平面と前記傾斜面との境界部を支点に前記傾斜面側へ回動し、一部が前記機器本体の前面より突き出て手前側へ傾斜した前記リモコン本体を吸着する磁石を設けている。
【００１７】
そして、機器本体の前面に前板より沈み込む状態か、あるいは少し突出した状態でリモコン本体を収納する構成としているため、機器本体の一構成部品、例えば第２の操作部として扱うことができ、従来の付属品的なリモコンに比べ、デザイン性の向上に大きく寄与するものであるとともに、前記リモコン本体を収納するリモコンホルダーに近接または一体化して受光部を設けた構成としているため、リモコン本体を機器本体に収納した状態でリモコン操作が可能となり、前記第２の操作部として使用することが可能になり、主操作部と併せてどちら側からでも操作ができるようになる。そして、リモコン側の操作スイッチを主操作部より少ない数、例えば通常使用時に必要な最小限の操作スイッチを配した構成とすることで、高齢者や幼児が操作する場合でも極めて判りやすい操作方法を提供することができる。また、リモコン本体は、通常、リモコンホルダーの略垂直平面の磁石により吸着され収納状態にあり、そして下部を押されるとリモコンホルダーの略垂直平面と傾斜面との境界部を支点に前記傾斜面側へ回動し、一部が機器本体の前面より突き出て手前側へ傾斜した状態で前記傾斜面の磁石により吸着されるので、使用者は確実かつ簡単にリモコン本体をリモコンホルダ−より取り外すことができる。
【００１８】
また、請求項２に記載した燃焼装置は、リモコンホルダーを機器本体の前板に一体化して設けた構成としている。
【００１９】
そして、前板に一体化構成で取り付けることにより、リモコンホルダーとの位置関係を確実に確保することができ、相互の取付位置ずれによる隙間の発生を防止して見栄えの良さを確保することができるとともに、前板着脱作業時の不具合発生を回避することができる。
【００２０】
さらに、一体化構成により、本体組立工程とは別工程での組立作業が可能となり、作業工程の合理化を図ることができる。
【００２１】
また、請求項３に記載した燃焼装置は、リモコンホルダーを主操作部に設けた表示部のうち、少なくともリモコン本体の操作により表示が変更する表示部近傍に設けた構成としている。
【００２２】
また、請求項４に記載した燃焼装置は、リモコンホルダーを主操作部に設けた設定温度または室温表示器の近傍に設けた構成としている。
【００２３】
そして、リモコンホルダーにリモコン本体を収納した状態で操作するとき、リモコン本体に配した操作スイッチに対応して変化する表示部が近接して設けられているため、操作状態が判りやすく、高齢者や幼児が操作する場合でも間違いなく、確実に所望の操作を行うことができる等、第２の操作部として使い勝手の向上を図ることができる。
【００２４】
また、請求項５に記載した燃焼装置は、受光部はリモコンホルダーに一体的に取り付けた受光カバーと、該受光カバーに相対する位置の主操作部に取り付けた受光ユニットからなり、少なくとも前方及び下方の２方向からのリモコン信号が受光できるように構成している。
【００２５】
そして、リモコンホルダーに収納したリモコン本体に対応する位置に受光部を一体化して設け、機器本体に装着した状態で使用する場合に第２の操作部として確実に操作を行うようにするとともに、前方からの受光も可能な構成としているため、広範囲なリモコン操作を行うことができる。
【００２６】
また、１つの受光ユニットで前方及び下方の２方向からの受光を可能にしているため、構成の簡素化が図れ、安価に提供することができる。
【００２７】
さらに、受光カバーと受光ユニットを分離し、受光ユニットを主操作部に取り付けるようにしているため、受光ユニットからの配線を主操作部側に収束させることができ、配線の合理化が図れるとともに、前板取り外し時に受光ユニットの配線を伴うことがなく、メンテナンス性の向上を図ることができる。
【００２８】
また、請求項６に記載した燃焼装置は、リモコン本体の裏面適所に磁性体を配し、該磁性体と相対するリモコンホルダー適所に磁石を取り付け、前記磁石の磁力により前記リモコン本体を保持し、リモコンホルダーへの収納形態を形成するようにしている。
【００２９】
そして、リモコンホルダー側に設けた磁石でリモコン本体を固定するようにしているため、リモコン本体と受光部の位置関係を確保することができ、機器本体に装着した状態で使用する場合に第２の操作部として確実に操作を行うことができる。
【００３０】
また、リモコン本体は適度な力で取り外しができるため、操作性を損なうことがなく、かつ取り外した後はリモコン本体側には吸着手段を有していないため、機器本体のどこにでも吸着するという事態、例えば高温の温風が吹き出す吹出口近傍に吸着して吹出口を塞ぐという事態や高温によりリモコンが破損してしまうという事態を回避でき、安全なリモコンの取付構成を提供することができる。
【００３１】
【実施例】
以下、本発明の実施例を図１から図６を用いて説明すると、は１機器本体、２は本体ケ−ス、３は天板、４は前板で、前面には切り起こし部５を有する爪部６を備えたリモコンホルダ−７を取り付けるリモコンホルダ−取付用開口部８を、また該リモコンホルダ−取付用開口部８の近傍で、天面の一部を形成する天斜面部９には、主操作部１０を臨む如く開けられた天部開口孔１１を有している。
【００３２】
前記主操作部１０は運転「入・切」スイッチの他複数個の操作スイッチ１２と前記リモコンホルダ−７の近傍に表示が変更する設定温度表示器１３と室温表示器１４の表示部Ｅを備え、操作スイッチ１２の操作により設定温度表示器１３と室温表示器１４に現在時刻や、運転入りタイマ−設定時刻を表示させることもできる操作部１５と、前記ケ−ス２と天板３にねじ止め固定され、前記操作部１５を固定支持する取付金具１５ａにより構成されている。
【００３３】
１６はリモコン本体であり、赤外線を利用したリモコン信号発信部１６ａと、運転「切」スイッチ、設定温度調節スイッチ等を備えてはいるが、前記主操作部１０の操作スイッチ数より少ない数のリモコン側操作スイッチＳと、裏面１６ｂには鉄板等の磁性体１７が貼り付けてある。
【００３４】
前記リモコンホルダ−７には、リモコン本体１６を収納する凹形状のリモコン収納部１８を有し、該リモコン収納部１８は前記リモコン本体１６を収納した状態において、前記リモコン本体１６の一部または全部が機器本体１の前板４よりも沈み込む構成となっている。
【００３５】
さらに、このリモコン収納部１８は、略垂直平面１８ａと傾斜面１８ｂを備えるとともに、略垂直平面１８ａと傾斜面１８ｂの裏面には、前記リモコン本体１６の裏面１６ｂに貼り付けられた磁性体１７と相対する位置にそれぞれ磁石１９が１個づつ接着固定されており、前記磁石１９によりリモコン本体１６を着脱自在に保持し、リモコンホルダ−７への収納形態を確保している。
【００３６】
また、上記リモコンホルダ−７には、複数個の取付孔２０が設けられており、前記前板４のリモコンホルダ−取付用開口部８に設けられた複数個の切り起こし部５を有する爪部６に前記取付孔２０を挿入すると、前記切り起こし部５がリモコンホルダ−７を係止することにより、機器本体１の前面の前板４に一体化して取り付けられている。
【００３７】
また、上記リモコンホルダ−７には、複数個の係合孔２１が設けられており、この係合孔２１に係合する複数個の係合爪２２を備えるとともに、赤外線透過樹脂で一体成形された受光カバ−２３が一体的に取り付けられている。
【００３８】
２４はリモコン本体１６からのリモコン信号を受光する受光素子２５を備えた受光ユニットで、前記主操作部１０を構成する取付金具１５ａに、前記受光カバ−２３と相対する位置で、機器本体１の前方からリモコン信号が出た場合はもちろん、下方であるリモコン収納部１８内にリモコン本体１６が収納された状態においてもリモコン信号を受光できる位置に取り付けられており、受光したリモコン信号は配線２６を介して主操作部１０へと送られ、配線２６を主操作部１０に収束させている。
【００３９】
上記のように、リモコン信号は全て受光カバ−２３を透過した後に受光ユニット２４で受光するようになっている。すなわち、前記受光カバ−２３と受光ユニット２４とで受光部２７を構成しており、受光部２７とリモコンホルダ−７を一体化（隣接でも可）することにより、リモコン本体１６が収納された状態であってもリモコン信号が受光できるようになっている。
【００４０】
次に上記構成において、機器本体１の運転方法を説明する。
【００４１】
まず、主操作部１０の操作のみで運転を行う場合は、操作スイッチ１２の操作により、運転の「入」・「切」や、設定温度調節や、運転入りタイマ−時刻設定等の全ての機能を使うことができる。
【００４２】
次にリモコンホルダ−７のリモコン収納部１８にリモコン本体１６を収納した状態で、リモコン本体１６を使って操作する場合について説明する。
【００４３】
この場合は、予め主操作部１０にて、運転「入・切」スイチを「入」の状態にしておく必要があるが、最も使用頻度が高い設定温度調節や、運転「切」操作はできるようになっており、操作スイッチ数を通常使用時に必要な最小限の数としてあるので、どのスイッチを押せばいいのかが誰にでも明確に判断できるようなっている。
【００４４】
また本実施例では、リモコン本体１６が主操作部１０の表示部Ｅである、設定温度表示器１３と室温表示器１４近傍の前板４の前面に収納されていることにより、主操作部１０を操作した時と同様に、リモコン本体１６を操作した時も設定温度表示器１３と室温表示器１４を見ながら操作できるようになている。
【００４５】
さらに、リモコン本体の裏面１６ｂに貼り付けた磁性体１７が、リモコンホルダ−７に接着固定された磁石１９の磁力により保持されていることにより、リモコン本体１６と受光部２７との位置関係を確保でき、リモコン信号発信部１６ａから受光部２７の受光素子２５へ、確実にリモコン信号を送ることができる。
【００４６】
次に、リモコン本体１６をリモコンホルダ−７より取り出す場合について説明する。
【００４７】
リモコン本体１６をリモコンホルダ−７より取り出す場合には、図１（ａ）に示すように、まずリモコン本体１６の下部１６ｃを矢印Ｆ方向に、リモコン本体１６がリモコンホルダ−７の略垂直平面１８ａと傾斜面１８ｂの境界部を軸として回動し、傾斜面１８ｂに当接するまで押す。すると、リモコンホルダ−７の略垂直平面１８ａの裏面に接着固定された磁石１９と、この磁石１９に相対するリモコン本体１６の磁性体１７との間の保持力が少なくなり、反対に傾斜面１８ｂの裏面に接着固定された磁石１９と、この磁石１９に相対するリモコン本体１６の磁性体１７との間の保持力が大きくなることにより、図１（ｂ）に示すようにリモコン本体１６はリモコンホルダ−７の傾斜面１８ｂに沿った状態で保持される。磁石１９はこの状態でリモコン本体１６が容易に脱落しない磁力としているので、使用者は確実かつ簡単にリモコン本体１６をリモコンホルダ−７より取り外すことができる。
【００４８】
リモコン本体１６を取り外した後は図６（ｂ）に示すように、リモコン本体１６のリモコン信号発信部１６ａを受光カバ−２３に向けた状態でリモコン側操作スイチＳを操作すれば、機器本体１から離れた場所からであっても、リモコン本体１６の収納時と同様に機器を操作できるのである。
【００４９】
外されたリモコン本体１６は磁性体１７を有するのみであるので、磁石１９が接着固定されているリモコンホルダ−７のリモコン収納部１８以外の機器本体１の外周に吸着させることはできないようになっている。
【００５０】
次に、前板４を取り付けたり、取り外したりする機器本体１の組立、あるいはメンテナンス時について説明する。
【００５１】
リモコンホルダ−７は、前板４に一体的に取り付けられていることにより、組立、あるいはメンテナンス時に両者を嵌合させる必要がないので、前板４を取り付ける際にリモコンホルダ−７あるいは受光カバ−２３を傷付ける心配がないとともに、前板４のリモコンホルダ−取付用開口部８とリモコンホルダ−７の嵌合隙間を最小限にすることができる。
【００５２】
また受光部Ｅにおいて、受光ユニット２４が受光カバ−２３と分離していることと、受光ユニット２４の配線２６を主操作部１０に収束させていることにより、前板４を取り付ける際に配線２６を前板４と本体ケ−ス２との間に噛み込ませることがない。
【００５３】
また、前板４を取り外す際にも前板４側に配線類が一切ないことにより、取り外し作業性が非常に良い構成となっている。
【００５４】
【発明の効果】
以上のように請求項１に記載した燃焼装置によれば、機器本体の前面に前板より沈み込む状態か、あるいは少し突出した状態でリモコン本体を収納する構成としているため、機器本体の一構成部品、例えば第２の操作部として扱うことができ、従来の付属品的なリモコンに比べ、デザイン性の向上に大きく寄与するものであるとともに、前記リモコン本体を収納するリモコンホルダーに近接または一体化して受光部を設けた構成としているため、リモコン本体を機器本体に収納した状態でリモコン操作が可能となり、前記第２の操作部として使用することが可能になり、主操作部と併せてどちら側からでも操作ができるようになる。そして、リモコン側の操作スイッチを主操作部より少ない数、例えば通常使用時に必要な最小限の操作スイッチを配した構成とすることで、高齢者や幼児が操作する場合でも極めて判りやすい操作方法を提供することができる。また、リモコン本体は、通常、リモコンホルダーの略垂直平面の磁石により吸着され収納状態にあり、そして下部を押されるとリモコンホルダーの略垂直平面と傾斜面との境界部を支点に前記傾斜面側へ回動し、一部が機器本体の前面より突き出て手前側へ傾斜した状態で前記傾斜面の磁石により吸着されるので、使用者は確実かつ簡単にリモコン本体をリモコンホルダ−より取り外すことができる。
【００５５】
また、請求項２に記載した燃焼装置によれば、前板に一体化構成で取り付けることにより、リモコンホルダーとの位置関係を確実に確保することができ、相互の取付位置ずれによる隙間の発生を防止して見栄えの良さを確保することができるとともに、前板着脱作業時の不具合発生を回避することができる。
【００５６】
さらに、一体化構成により、本体組立工程とは別工程での組立作業が可能となり、作業工程の合理化を図ることができる。
【００５７】
また、請求項３、４に記載した燃焼装置によれば、リモコンホルダーにリモコン本体を収納した状態で操作するとき、リモコン本体に配した操作スイッチに対応して変化する表示部が近接して設けられているため、操作状態が判りやすく、高齢者や幼児が操作する場合でも間違いなく、確実に所望の操作を行うことができる等、第２の操作部として使い勝手の向上を図ることができる。
【００５８】
また、請求項５に記載した燃焼装置によれば、リモコンホルダーに収納したリモコン本体に対応する位置に受光部を一体化して設け、機器本体に装着した状態で使用する場合に第２の操作部として確実に操作を行うようにするとともに、前方からの受光も可能な構成としているため、広範囲なリモコン操作を行うことができる。
【００５９】
また、１つの受光ユニットで前方及び下方の２方向からの受光を可能にしているため、構成の簡素化が図れ、安価に提供することができる。
【００６０】
さらに、受光カバーと受光ユニットを分離し、受光ユニットを主操作部に取り付けるようにしているため、受光ユニットからの配線を主操作部側に収束させることができ、配線の合理化が図れるとともに、前板取り外し時に受光ユニットの配線を伴うことがなく、メンテナンス性の向上を図ることができる。
【００６１】
また、請求項６に記載した燃焼装置によれば、リモコンホルダー側に設けた磁石でリモコン本体を固定するようにしているため、リモコン本体と受光部の位置関係を確保することができ、機器本体に装着した状態で使用する場合に第２の操作部として確実に操作を行うことができる。
【００６２】
また、リモコン本体は適度な力で取り外しができるため、操作性を損なうことがなく、かつ取り外した後はリモコン本体側には吸着手段を有していないため、機器本体のどこにでも吸着するという事態、例えば高温の温風が吹き出す吹出口近傍に吸着して吹出口を塞ぐという事態や高温によりリモコンが破損してしまうという事態を回避でき、安全なリモコンの取付構成を提供することができる。
【図面の簡単な説明】
【図１】  （ａ）本発明の実施例１における燃焼装置のリモコン収納状態を示す断面図
（ｂ）同燃焼装置のリモコン回動状態を示す断面図
【図２】  同燃焼装置のリモコン部の分解斜視図
【図３】  同燃焼装置の前板を外した状態を示す斜視図
【図４】  同燃焼装置のリモコン本体を背面より見た斜視図
【図５】  同燃焼装置の前板とリモコンホルダ−の係止状態を示す断面図
【図６】  （ａ）同燃焼装置の外観図
（ｂ）同燃焼装置のリモコン本体を取り外した状態の外観図
【図７】  （ａ）従来の燃焼装置とリモコン収納ケ−スを示す外観図
（ｂ）同従来の燃焼装置とリモコン収納ケ−スを示す他構成の実施例の外観図
【符号の説明】
１  機器本体
４  前板
７  リモコンホルダ−
１０  主操作部
１６  リモコン本体
１８  リモコン収納部
２７  受光部
【図１】
0004081923.tif 000002
【図２】
0004081923.tif 000003
【図３】
0004081923.tif 000004
【図４】
0004081923.tif 000005
【図５】
0004081923.tif 000006
【図６】
0004081923.tif 000007
【図７】
0004081923.tif 000008